(57)【要約】      （修正有）【課題】縦桟のばたつきを防止したパネル体を提供する。【解決手段】縦桟１０と、横桟２０と、目板３０と、目板カバー４０を備え、縦桟１０は、端部に溝１１が設けてあり、横桟２０は、縦桟１０の溝１１に呑み込ませてあり、目板３０は、溝１１の開口を塞ぎ、縦桟１０の側壁端部にネジ８止めされており、目板カバー４０は、目板３０に取り付けてある。【選択図】図１
2018104990.tif 000002
【特許請求の範囲】
【請求項１】
縦桟と、横桟と、目板と、目板カバーを備え、縦桟は、端部に溝が設けてあり、横桟は、縦桟の溝に呑み込ませてあり、目板は、溝の開口を塞ぎ、縦桟の側壁端部にネジ止めされており、目板カバーは、目板に取り付けてあることを特徴とするパネル体。
【発明の詳細な説明】
【技術分野】
【０００１】
本発明は、ドア、門扉、フェンスなどに使用するパネル体に関する。
【背景技術】
【０００２】
門扉等に用いられるパネル体として、左右方向に配置した縦桟を横桟によって連結する際に、横桟を縦桟端部に設けた溝に呑み込ませ、意匠性を高めたものがある。
【発明の概要】
【発明が解決しようとする課題】
【０００３】
しかしながら、このような従来のパネル体は、図６に示すように、縦桟に設けた溝の底部において横桟をネジ止めした後、目板によって溝の開口を塞ぐ構成であったため、縦桟の側壁端部がばたつくという問題があった。
本発明は上記実情に鑑み、縦桟のばたつきを防止したパネル体を提供することを目的とする。
【課題を解決するための手段】
【０００４】
本発明は、縦桟と、横桟と、目板と、目板カバーを備え、縦桟は、端部に溝が設けてあり、横桟は、縦桟の溝に呑み込ませてあり、目板は、溝の開口を塞ぎ、縦桟の側壁端部にネジ止めされており、目板カバーは、目板に取り付けてあることを特徴とする。
【発明の効果】
【０００５】
本発明によれば、横桟は縦桟の溝に呑み込ませてあり、目板は縦桟の端部にネジ止めされているため、縦桟の側壁端部のばたつきが防止される。また、ネジ止めされる位置が溝の底部ではなく縦桟の側壁端部であるため、作業性が良い。
【図面の簡単な説明】
【０００６】
【図１】図２のＡ―Ａ線断面である。
【図２】門扉の正面図である。
【図３】図２のＢ―Ｂ線断面図である。
【図４】縦桟を示す図であり、（ａ）は平面図、（ｂ）は長手方向端部のＣ―Ｃ線断面図である。
【図５】パネル体上面の目板を示す図であり、（ａ）は側面図、（ｂ）は平面図である。
【図６】従来のパネル体の一部を示す縦断面である。
【発明を実施するための形態】
【０００７】
以下、本発明の実施の形態を図面に基づいて説明する。本発明のパネル体は、ドアやフェンス、間仕切りなど種々の実施形態に用いられるものであるが、ここでは図２に示す門扉に用いた場合を実施形態例として示す。なお、以下において、図２のように門扉を正面視した際の左右を左右方向とし、奥行方向を前後方向とする。
【０００８】
この門扉は、両開きの門扉であって、左右に立設した門柱２，２には夫々上下二つのヒンジ３，３が取り付けてあり、左右のパネル体１，１はヒンジ３によって回動可能に門柱２，２に取り付けてある。
【０００９】
パネル体１は、戸先框４、吊元框５、縦桟１０、横桟２０、目板３０，５０及び目板カバー４０、６０から構成される。図１乃至図３に示すように、戸先框４と吊元框５との間に、複数の縦桟１０が所定の間隔をあけて左右方向に並べて配置され、戸先框４と縦桟１０と吊元框５は上下両端部において、横桟２０と目板３０，５０によって連結してある。
【００１０】
戸先框４と吊元框５は、図３に示すように断面略矩形の中空材であり、左右方向からのネジ止めによって横桟２０と連結される。
戸先框４は、見付面に取手６が取り付けてあり、縦桟１０と対向する側面には、前後の見付面を吊元側に延長し、その端部が対向するように折り曲げられた係止部４ａ，４ａが長手方向全長に渡って設けてある。戸先框４の内周面には、吊元側に目板３０，５０を上下方向からネジ止めするためのタッピングホール４ｈ，４ｈが前後に二つ設けてある。
吊元框５は、ヒンジ３によって門柱２に取り付けられる。吊元框５も戸先框４と同様に、縦桟１０と対向する側面には、前後の見付面を戸先側に延長し、その端部が対向するように折り曲げられた係止部５ａ，５ａが長手方向全長に渡って設けてある。吊元框５の戸先側の内周面と、吊元側の外側面には、目板３０，５０を上下方向からネジ止めするためのタッピングホール５ｈ，５ｈが前後に二つずつ設けてある。
戸先框４及び吊元框５に設けた二つの係止部４ａ，４ａ，５ａ，５ａの間に夫々形成される横桟取付溝４ｂ，５ｂには、上方及び下方に横桟２０の長手方向端部が挿入され、二つの横桟２０，２０間の横桟取付溝４ｂ，５ｂには付子７が嵌め込まれる。
【００１１】
縦桟１０は、前後の側壁１２，１２及び左右の側壁１３，１３からなる断面略矩形の中空材である。図４において、（ａ）は縦桟１０の平面図を示し、（ｂ）は長手方向の一端部の断面図を示す。縦桟１０は、長手方向両端部において、左右の側壁１３，１３に横桟２０を呑み込むための溝１１が設けてあり、前後の側壁１２，１２の左右方向中央部に目板３０，５０を上下方向からネジ止めするためのタッピングホール１０ｈ，１０ｈが形成してある。溝１１の前後方向及び上下方向の寸法は、横桟２０の前後方向及び上下方向の幅と略等しい。
【００１２】
横桟２０は、図１乃至図３に示すように、左右方向に長い断面略矩形の中空材であり、前後方向の幅は縦桟１０よりも短く、前方と後方の見付面をパネル体１の外周側へ延長した立設片２３，２３を有する。横桟２０は、パネル体１において、同一形状のものが二つ上下対称に用いてある。上下の見込面の中央部には、内側面に横桟２０を戸先框４又は吊元框５へ左右方向からネジ止めするためのタッピングホール２０ｈ，２０ｈが設けてある。
【００１３】
目板３０，５０は、矩形板状の長尺材であり、長手方向の寸法は、パネル体１の左右の寸法に略等しい。目板３０，５０には、戸先框４、吊元框５及び縦桟１０にネジ止めするための取付穴３１が前後方向に２箇所ずつ、長手方向に沿って複数設けてある。取付穴３１は、戸先框４に設けたタッピングホール４ｈ，４ｈ、縦桟１０に設けたタッピングホール１０ｈ，１０ｈ及び吊元框５に設けたタッピングホール５ｈ，５ｈの位置に対応している。目板３０，５０は、図１に示すように、戸先框４と複数の縦桟１０と吊元框５に跨って、それらの開口を塞ぐように上面に配置され、上下方向からネジ８によって戸先框４、吊元框５及び縦桟１０に取り付けられて、横桟２０を縦桟１０の溝１１内へ固定する。図１及び図５に示すように、パネル体１の上面に取り付ける目板３０は、戸先框４、吊元框５及び縦桟１０の端部に対向する面は略平坦であるが、その反対面には、目板カバー４０を取付けるための二つの係合部３２，３２が長手方向に亘って立設している。パネル体１の下面に取り付ける目板５０は、上面の目板３０と略同様の構成であるが、図１下方に示すように、係合部３２を備えず、目板カバー６０をネジ９で固定するための取付穴が前後方向の中央部に設けてある。
【００１４】
目板カバー４０，６０は、目板３０，５０を覆うほどの寸法の矩形板状の長尺材であり、目板３０，５０の上から取り付けることにより、目板３０，５０を戸先框４、吊元框５及び縦桟１０に取り付けるネジを隠すことができる。図１に示すように、パネル体１の上面に取り付ける目板カバー４０は、目板３０に取り付ける側の面の目板３０の係合部３２，３２に対向する位置に被係合部４２，４２が設けてある。パネル体１の下面に取り付ける目板カバー６０は、被係合部４２を備えず、目板５０にネジ９で固定するための取付穴が前後方向の中央部に設けてある。
【００１５】
パネル体１の上面を構成する目板３０及び目板カバー４０は、パネル体１の意匠性を高めるため、目板カバー４０の上からネジ止めする必要がないよう係合可能に形成されている。パネル体１の下面においても、係合可能に形成された目板３０及び目板カバー４０を用いても良いが、パネル体１の下面は外観上見え難いため、ネジ止め可能に形成された目板５０と目板カバー６０を用いてもよい。
【００１６】
このパネル体１は、例えば次のように組み付けられる。
まず、縦桟１０を左右方向に配置し、横桟２０を上下方向から縦桟１０の溝１１内に呑み込ませ、戸先框４の横桟取付溝４ｂ、吊元框５の横桟取付溝５ｂへ左右方向から挿入する。そして、横桟２０の長手方向両端部を、戸先框４と吊元框５の中空部内に設けた裏板を介してネジ止めする。横桟２０の端部が挿入されていない横桟取付溝４ｂ，５ｂには、付子７を嵌め込む。次に、目板３０，５０を戸先框４、縦桟１０及び吊元框５の見込面に被せ、上下の開口を塞ぐように配置する。目板３０，５０の取付穴３１と、戸先框４、縦桟１０及び吊元框５のタッピングホール４ｈ，１０ｈ，５ｈの位置を合わせ、目板３０，５０の上からネジ８を挿入することにより、目板３０，５０を固定する。そして、パネル体１の上面には、被係合部４２を有する目板カバー４０を、目板３０を覆うように配置し、目板３０に係合させて取り付け、パネル体１の下面には、目板カバー６０を、目板５０を覆うように配置し、目板カバー６０の上からネジ９で固定する。
【００１７】
このように構成したパネル体１によれば、縦桟１０の端部に設けた溝１１に横桟２０が呑み込ませてあり、縦桟１０の前後の側壁１２，１２の端部に目板３０，５０がネジ止めされ、目板３０，５０は、縦桟１０の溝１１の開口を塞ぐとともに、横桟２０を溝１１内へ固定するので、縦桟１０の側壁１２端部がばたつくのを防止することができる。
目板３０，５０を縦桟１０へネジ止めする位置は、縦桟１０の側壁１２の端部、言い換えれば、溝１１の入口部分であるため、作業性が良い。
パネル体１の上面においては、目板カバー４０が目板３０を覆うことによりネジ８を隠し、目板カバー４０は被係合部４２を備えるためネジ止めする必要がなく、意匠性が良い。
【００１８】
本発明は、上記の実施形態に限定されない。一つのパネル体は、横桟を呑み込む溝を設けた縦桟を少なくとも一つ有していればよく、縦桟の配置数は任意である。
【符号の説明】
【００１９】
１        パネル体
８        ネジ
１０        縦桟
１１        溝
１２，１３  側壁
２０        横桟
３０，５０  目板
４０，６０  目板カバー
【図１】
2018104990.tif 000003
【図２】
2018104990.tif 000004
【図３】
2018104990.tif 000005
【図４】
2018104990.tif 000006
【図５】
2018104990.tif 000007
【図６】
2018104990.tif 000008